(57)【特許請求の範囲】
【請求項１】
機体の前部から後部に亘って茎葉搬送処理部Ｅを上り傾斜状に設け、この茎葉搬送処理部Ｅの左右各側の前方に切断装置２１，２１を配設し、この切断装置２１，２１の上部に細棒で形成した上部案内棒２６，２６を前向き上り傾斜に設け、且つ揺動されて収納可能となされると共に、前記各切断装置２１，２１の前下部から前方へ張出し状に配設された細棒で形成したデバイダ２５，２５を備え、機体の進行中、前記各切断装置２１，２１で前記デバイダ２５，２５により案内された植生茎葉部ｗを前記茎葉搬送処理部Ｅの左右で切断し、この切断された前記茎葉部ｗを前記茎葉搬送処理部の前部で掻き込み、続いて斜め後方へ搬送し、この搬送過程でその根部から分離させ、後部から排出するように作動する蔓処理機において、前記デバイダ２５，２５を支持用条部材７５と結合部材８６とを介して上下揺動および前後向きに摺動変位自在に構成し、前記各デバイダ２５，２５を前方張出し姿勢から前方非張出し姿勢へ或いはこの逆へ姿勢変更操作可能に装着したことを特徴とする蔓処理機。
【発明の詳細な説明】
【０００１】
【発明の属する技術分野】
本発明は、植生する甘藷の蔓等を根部から分離させ、後方へ移動させる蔓処理機に関する。
【０００２】
【従来技術】
機体の前部から後部に亘って茎葉搬送処理部を上り傾斜状に設け、この茎葉搬送処理部の左右各側の前方に切断装置を配設し、各切断装置の前下部から前方へ張出し状に配設されたデバイダを備え、機体の進行中、各切断装置がデバイダにより案内された植生茎葉部を茎葉搬送処理部の左右で切断し、茎葉搬送処理部がこの切断された茎葉部を前部で掻き込み、続いて斜め後方へ搬送し、この搬送過程でその根部から分離させ、後部から排出するように作動する蔓処理機は存在している。
【０００３】
この処理機をその保管場所から離れた場所で使用するようなときは、自力走行より移動していたのでは時間がかかるため、例えば、軽トラックの荷台に積載して所要の場所まで移動させることが行われている。
【０００４】
【発明が解決しようとする課題】
上記した蔓処理機は比較的機体が長いため、軽トラックの荷台に載せる際に前方へ張り出しているデバイダが障害をなすことがある。
また、デバイダは細長棒状のものであるから他物と接触することにより曲がる等の損傷を受け易いのである。
本発明は、斯かる実情に簡便に対処し得る蔓処理機を提供することを目的とする。
【０００５】
【課題を解決するための手段】
上記目的を達成するため、本発明では、機体の前部から後部に亘って茎葉搬送処理部Ｅを上り傾斜状に設け、この茎葉搬送処理部Ｅの左右各側の前方に切断装置２１，２１を配設し、この切断装置２１，２１の上部に細棒で形成した上部案内棒２６，２６を前向き上り傾斜に設け、且つ揺動されて収納可能となされると共に、前記各切断装置２１，２１の前下部から前方へ張出し状に配設された細棒で形成したデバイダ２５，２５を備え、機体の進行中、前記各切断装置２１，２１で前記デバイダ２５，２５により案内された植生茎葉部ｗを前記茎葉搬送処理部Ｅの左右で切断し、この切断された前記茎葉部ｗを前記茎葉搬送処理部の前部で掻き込み、続いて斜め後方へ搬送し、この搬送過程でその根部から分離させ、後部から排出するように作動する蔓処理機において、前記デバイダ２５，２５を支持用条部材７５と結合部材８６とを介して上下揺動および前後向きに摺動変位自在に構成し、前記各デバイダ２５，２５を前方張出し姿勢から前方非張出し姿勢へ或いはこの逆へ姿勢変更操作可能に装着したものである。
【０００６】
上記蔓処理機において、デバイダを前方非張出し姿勢にすると、機体全長がその張出し長さ分短くなり、またデバイダは他物と接触し難くなる。
【０００７】
【発明の実施の形態】
以下、図１〜図１５を参照して、本発明の一実施例を説明する。
図１は本発明に係る茎葉処理機の右側面図、図２は前記処理機の平面図である。
【０００８】
本実施例の茎葉処理機は、走行車両Ａ、畝押さえ機構部Ｂ、回動中心伝動機構部Ｃ、分草切断部Ｄ、及び茎葉搬送処理部Ｅを備えている。
このさい、分草切断部Ｄは走行車両Ａに装設され、また畝押さえ機構部Ｂ、回動中心伝動機構部Ｃ及び茎葉搬送処理部Ｅは一体状に結合されると共に、走行車両Ａに対して支点Ｏ廻りの揺動変位可能となされている。
【０００９】
先ず走行車両Ａについて図１、図２、図３及び図４により説明する。
図３は茎葉搬送処理部Ｅを省略した前記処理機の平面図、図４は前記処理機の上部機構を省略した平面図である。
【００１０】
１はエンジンであり、これの左側にはミッションケース２が固設してある。
２ａはミッションケース２に装設された変速レバーである。
【００１１】
ミッションケース２の左側面とエンジン１の右側面とに走行駆動ケース３、３を配設してあり、各走行駆動ケース３、３の後端部はミッションケース２に水平横軸４廻りの揺動調整可能に結合してある。
そして各走行駆動ケース３、３の前端部に走行車輪５、５が設けてある。
【００１２】
６はエンジン１の前部からこれの左右各側の前方へ向けて延出させた前側車両フレームである。
左右各側の前側車両フレーム６の長さ途中には、上記回動中心伝動機構部Ｃ及び茎葉搬送処理部Ｅを支持するための枢支部７、７が固設してある。
【００１３】
各枢支部７近傍に位置した前側車両フレーム６、６個所には下向き支持部材８が固設してある。
各支持部材８は複数の固定孔をその長手方向へ列設されており、この固定孔の任意なものに各走行駆動ケース３の前端部がボルト固定されている。
各走行車輪４の高さを調整するさいは、走行駆動ケース３の前端部を固定させる固定孔を変更する。
【００１４】
前側車両フレーム６の後部同体個所からは操縦ハンドル９がエンジン１の上方を経てその後方へ張り出した状態に設けてあり、この操縦ハンドル９には各種の操縦レバーが装着されている。
また、上記枢支部７、７よりも前方の左右の前側車両フレーム６、６にはゲイジ輪１０、１０が高さ調整可能に装着してある。
【００１５】
このような構成とした走行車両Ａにおいて、上記エンジン１の動力はミッションケース２に伝達され、ここで変速され、左右の走行駆動ケース３、３を経て各走行車輪５、５に伝達される。
【００１６】
次に畝押さえ機構部Ｂについて、図１、図３及び図５により説明する。
図５は前記処理機の使用状態を示す正面図である。
【００１７】
１１ａ及び１１ｂは左右一対のローラユニットであり、各ローラユニット１１ａ、１１ｂは複数の鼓形ローラ１２を前後方向へ配列し、これらローラ１２の各々を支持枠１３に回転自在に軸着し、この支持枠１３を後述の回動中心伝動機構部Ｃの回動中心伝動ケース１４に固定されたＵ形支持フレーム１３１に位置調整機構１３ａを介して固定した構成となしてある。
【００１８】
これら左右一対のローラユニット１１ａ、１１ｂは前面視ハ字状に配置されると共に、高さ及び左右位置の調整可能に装着されている。
【００１９】
このような構成となされた畝押さえ機構部Ｂは、ローラ１２により畝面Ｕの左右を適当に押さえるように作用する。
【００２０】
次に回動中心伝動機構部Ｃについて、図１〜図３、図４及び図６により説明する。
図６は前記処理機の側面視断面図である。
【００２１】
１４は左右一対の枢支部７、７の間に架装された回動中心伝動ケースで、これに貫通され前記支点Ｏに合致された横向き支点軸１５を介して支持されると共に、この軸１５廻りの揺動自在となされている。
【００２２】
回動中心伝動ケース１４の後面には回転入力軸１６ａが設けてあり、この回転入力軸１６ａは上記ミッションケース２の前面に突出された回転取出軸１６ｂに結合軸１６を介して連動連結させてある。
【００２３】
回動中心伝動ケース１４の上面からは左右一対の駆動軸１７、１７が突出されており、駆動軸１７、１７及び横向き支点軸１５は歯車及びチェーン等の伝動機構を介して上記回転入力軸１６ａと連動連結されている。
【００２４】
回動中心伝動ケース１４と同体のＵ形支持フレーム１３１と走行車両フレーム６との間にはネジ式伸縮作動体１８が架装してあり、このネジ式伸縮作動体１８の入力部に、走行車両フレーム６の右側に前後向きに配設された回転操作軸１９の先端を結合させてある。
この回転操作軸１９は長手方向途中を走行車両フレーム６と同体に固定された軸受片２０を介して回転自在に支持されると共に、後端部をクランク形に屈曲されて操作部１９ａとなされている。
【００２５】
ネジ式伸縮作動体１８は操作部１９ａの回転操作により上下方向へ伸縮作動され、これに連動して回動中心伝動ケース１４が水平横軸１５廻りへ揺動される。
【００２６】
次に分草切断部Ｄについて、図１、 図２、図３、図６、図７及び図８により説明する。
図７は前記処理機の使用状態を示す斜視図、図８は一部を拡大した側面視説明図である。
【００２７】
２１及び２１は左右各側の前側車両フレーム６、６に装着された蔓切断装置であり、各切断装置２１は前部に縦向きのバリカン式切り刃２２を設けると共に、外周囲を装置フレーム２３で被った構成としている。
この装置フレーム２３の外側部２３ａは、切断装置２１を作動させるための図示しない切断操作レバー（例えば、クラッチレバー）の操作により、図１及び図２に示す閉鎖状態から図７に示すような開放状態に変位され、この開放により切り刃２２が露出される。
このさい、前記切断操作レバーは二つ設け、各々を左右の各切断装置２１、２１に専属的に対応させる。
【００２８】
各切断装置２１の下部には前下がり状の上縁を具備した掘り起こし板２４が縦向きに固定してあり、また堀り起こし板２４にはデバイダ２５が固定してある。
このデバイダ２５は堀り起こし板２４から前方へ突出された突出棒２５ａとこれの先端に後向き上り傾斜状に固定された持上げ用案内棒２５ｂと、突出棒２５ａから外側へ張り出させた付加棒２５ｃとからなっている。
このさい、左右の各案内棒２５ｂは突出棒２５ａの先端から後述する掻込み部ｘの左右の各最外箇所へ及ぶものとなされる。
【００２９】
一方、各切断装置２１の上部には上側案内棒２６が前向き上り傾斜に設けてある。
この案内棒２６は矢印方向ｆ１へ揺動されて図８に仮想線ｋ１で示す状態に収納可能となされている。
【００３０】
また、左右の切断装置２１、２１の切り刃２２は前記横向き支点軸１５により駆動されるようになすのであり、このため横向き支点軸１５の左右各端部にクランク部２７を形成し、左右各側で、このクランク部２７と切り刃２２の入力部材２２ａとをリンク部材２８で連結させてある。
【００３１】
次に茎葉搬送処理部Ｅについて説明する。
この処理部Ｅは図１及び図２に示すように下部挟持搬送経路機構２９と上部挟持搬送経路機構３０とを具備した茎葉搬送装置３１を主体としている。
この茎葉搬送装置３１は走行車両Ａの前部から後部上方に及ぶものであり、また、上部挟持搬送経路機構３０は前側と後側とに分割し、前側の上部挟持搬送経路機構３０Ａを掻込み装置と兼用させてある。
【００３２】
上記下部挟持搬送経路機構２９を、図１、図３、図４、図６及び図９により説明すると次のとおりである。
図９は前記処理機の一部を省略した状態の平面図である。
【００３３】
これらの図に示すように左右一対の駆動軸１７、１７の各々に前側中間プーリ３２及びスプロケット３３が固定してあり、また、切断装置２１よりも少し後方箇所に回動中心伝動機構部Ｃと同体で駆動軸１７廻りの若干の揺動変位可能となされたチェーンケース３８を介して、左右一対の回転軸３４、３４を装設し、これら各軸３４に前部プーリ３５及びスプロケット３６を固定している。
【００３４】
そして、左右各側においてスプロケット３３とスプロケット３４との間に無端状のチェーン３７が掛け回してあり、このチェーン３７の外周囲を前記チェーンケース３８で被っている。
【００３５】
各駆動軸１７にはアーム部材３９、３９が一定範囲内の水平揺動可能に枢着してあり、また、各アーム部材３９の後端部に支持軸４０が固定してある。
この各支持軸４０には後側中間プーリ４１を回転自在に装着すると共に付勢アーム部材４２を一定範囲内の水平揺動可能に装着している。
【００３６】
このさい、付勢アーム部材４２は二本の筒部材４２ａ、４２ｂを伸縮可能に嵌合させると共にこれらの筒部材４２ａ、４２ｂ間にスプリング４３を介装し、このスプリング４３の弾力で二本の筒部材４２ａ、４２ｂが伸張変位するように付勢したものとなし、また、左右の付勢アーム部材４２、４２間にはスプリングｓ１、ｓ２（図１）を張架し、これらアーム部材４２、４２を互いに近接する側に付勢してある。
また、各アーム部材４２にはこれを左右へ振り回すための把手４４が固定されている。
【００３７】
各付勢アーム部材４２の後端には回転軸４５が一定位置での回転自在に装着してあり、この回転軸４５の下端に後部プーリ４６が固定してある。
そして、左右各側の上記した四つのプーリ３２、３５、４１、４６に無端状のゴム質材からなる挟持搬送ベルト４７が掛け回してある。
【００３８】
前部プーリ３５と前側中間プーリ３２との間の左右各側で挟持搬送ベルト４７の内方には二つのテンションプーリ４９ａ、４９ｂがチェーンケース３８を介して装着され、左右のテンションプーリ４９ａ、４９ｂが左右各側の挟持搬送ベルト４７、４７の内面側を前後方向の互い違いに押圧し、これらベルト４７、４７を圧接させている。
また、前部プーリ３５と前側中間プーリ３２との間の左右各側で各挟持搬送ベルト４７の外方側特定位置にも二つのテンションプーリ５０、５１がチェーンケース３８を介して装着され、各ベルト４７の外面を押圧してこれを緊張させるものとなしてある。
【００３９】
さらに、前側中間プーリ３２と後側中間プーリ４１の間の左右各側で各挟持搬送ベルト４７の外方後側にもテンションプーリ５２が設けてある。
このテンションプーリ５２は、テンションプーリ５１の回転中心軸に水平揺動可能に枢着された前側リンク部材５３と、支持軸４０に水平揺動可能に枢着された後側リンク部材５４とを結合させ、この結合箇所に回転自在に軸着してある。
【００４０】
また、後側中間プーリ４１と後部プーリ４６との間の左右各側で各挟持搬送ベルト４７の内方には３連テンションプーリ５５ａ、５５ｂ、５５ｃが設けてある。
これらテンションプーリ５５ａ、５５ｂ、５５ｃは結合部材５６に軸着されており、この結合部材５６はこれに対応した各側の付勢アーム部材４２に水平揺動可能に装着された二つの湾曲アーム部材５７ａ、５７ｂの先端部に軸着され、図示しないスプリングの弾力により対応した左右各側の挟持搬送ベルト４７の内面を押圧され、左右の挟持搬送ベルト４７、４７の前後方向部をこれら左右のテンションプーリ５５ａ、５５ｂ、５５ｃで互い違いに圧接させている。
【００４１】
かくして左右の挟持搬送ベルト４７、４７は走行車両Ａの前部から後部上方に亘ってこれらの対向部が圧接された状態となり、これら対向部間が下部の挟持搬送経路ｋ１をなしている。
【００４２】
上記掻込み装置３０Ａを 図１、図２、図６、 図７及び 図９を参照して説明すると、次のとおりである。
即ち、左右各側のチェーンケース３８の先端部から支持部材５８が延長させてあり、支持部材５８には二つのプーリ５９、６０を設け、外側のプーリ５９を内側のプーリ６０よりも前方下部に位置させている。
このさい、外側のプーリ５９はその前後位置を調整可能となされている。
【００４３】
左右の各駆動軸１７の上端部にはプーリ６１が固定してある。
そして、左右各側において三つのプーリ５９、６０、６１に無端状の突起付ベルト６２が掛け回してある。
このさい、左右の突起付ベルト６２、６２の突起は図９に示すように同一位置で対向させてもよいし、或いは左右で位置をずらして互い違いに対向させるようになすことも差し支えない。
【００４４】
左右の突起付ベルト６２、６２の対向部は図示しない案内部材を介して前後方向の直線状に移動するようになされ、この対向部間が前側の上側挟持搬送経路ｋ２をなしている。
【００４５】
また、左右の突起付ベルト６２、６２の前縁は平面視前拡がりのハ字形をなす掻込み部ｘとなしてある。
さらに各突起付ベルト６２の上面には、前部案内覆い板６８がこのベルト６２を被った状態となされ且つチェーンケース３８と同体に固定されている。
【００４６】
次に後側の上部挟持搬送経路機構３０Ｂを図１、図２、図６及び図９により説明する。
図６及び図９に示すように、左右各側の付勢アーム部材４２の筒部材４２ｂ前部上面に支持部材６４が固定してあり、この支持部材６４の下方にプーリ６５が回動自在で前後位置の調整可能に軸着してある。
一方、付勢アーム部材４２の後端部に設けた回転軸４５上端部にプーリ６６が固定してある。
【００４７】
そして、左右各側において、前後の二つのプーリ６５、６６に無端状の突起付ベルト６７が掛け回されている。
左右の突起付ベルト６７、６７の対向部は掻込み装置３０Ａの場合と同様に図示しない案内部材を介して前後方向の直線状に移動するようになされており、この対向部間が後側の上側挟持搬送経路ｋ３をなしている。
【００４８】
各突起付ベルト６７の上面には、後部案内覆い板６８がこのベルト６７上を被った状態となされ且つ、後側アームフレーム４２を構成した筒部材４２ｂと同体に固定させてある。
【００４９】
この上部挟持搬送経路機構３０Ｂの上部特定位置、即ち後部案内覆い板６８、６８の前部上面でプーリ６５、６５の概ね中心上に図１及び図２に示すように縦軸６９、６９が固設してあり、これら各縦軸６９、６９に案内ローラ７０、７０が回転自在に装着してある。
【００５０】
上記のように構成した茎葉搬送処理部Ｅの作動及び取扱いを説明する。
左右の駆動軸１７、１７の回転は前側中間プーリ３２、３２を回転させると共に、チェーン３７、３７を介して前部プーリ３５、３５をも回転させ、これらのプーリ３２、３５の回転が下側の左右の挟持搬送ベルト４７、４７を回転させる。
【００５１】
各駆動軸１７と同体に回転されるプーリ６１、６１は掻込み装置３０Ａの突起付ベルト６２、６２を回転させる。
そして、各挟持搬送ベルト４７と連動して回転される後部プーリ４６、４６はプーリ６６を介し後側の上部搬送経路３０Ｂを形成した突起付ベルト６７、６７を回転させる。
【００５２】
掻込み装置３０Ａの前縁をなす掻込み部ｘは芋蔓等を下部挟持搬送経路ｋ１及び前側の上部挟持搬送経路ｋ２の前部に掻き集め、これら挟持搬送経路ｋ１、ｋ２は掻き集められた芋蔓等を後方上り傾斜状に挟持搬送する。
そして、芋蔓等が前側の上部挟持搬送経路ｋ２を経た後は、下部挟持搬送経路ｋ１及び後側の上部挟持搬送経路ｋ３が継続して後方上り傾斜状に挟持搬送する。
【００５３】
挟持搬送装置３１の後部を左右へ振り回すさいは把手４４等を持って行うのであり、これにより、左右のアーム部材３９、３９が各駆動軸１７、１７廻りへ揺動されると共に、左右の付勢アーム部材４２、４２が各支持軸４０、４０廻りへ揺動される。
このさい、茎葉搬送装置３１の折れ曲がり角度は図示しない適宜な係止機構を介して複数の任意な大きさに択一的に設定されるものとなる。
【００５４】
次に本実施例における分草切断部Ｄの特徴的構成を図８及び、図１０〜図１４により説明する。
図１０は切断装置の要部を示す拡大側面図、図１１は図１０のｘ−ｘ部を示す図、図１２は前記要部の部品を示す図、図１３はデバイダを示す側面図、図１４は前記要部の部品を示す図である。
【００５５】
前側車両フレーム６の先端部と同体に固定された鈎状パイプフレーム７１の下端に角筒部材７２が前後向きに固着してある。
そして、鈎状パイプフレーム７１の先部と角筒部材７２の先部を結合板７３で連結し、この結合板７３を介して切り刃２２が装着されている。
【００５６】
角筒部材７２の内方には図１０に示すようにバネ受け片７４が固着してあり、このバネ受け片７４の前方側となる角筒部材７２内には断面が鈎形の支持用条部材７５が摺動変位自在に内挿されている。
この支持用条部材７５は、図１２に示すように上辺部７５ａに透孔ｈを形成すると共に、上辺部７５ａ及び側辺部７５ｂの各端縁に段差部ｄ１、ｄ２を形成し、且つ、側辺部７５ｂの先部に軸孔ｈ１を形成し、この軸孔ｈ１に合致して軸受部材７６を固着するほか、先端縁ｅを円弧状に形成したものとなしてある。
【００５７】
支持用条部材７５の基端部にはネジ部材７７が張出し状に固着してあり、このネジ部材７７はバネ受け片７４の透孔ｈ２に挿通される。
また、バネ受け片７４の後側となるネジ部材７７部分にはスプリング７８が外嵌され、ネジ部材７７の後部にはスプリング７８を圧縮状態に保持するためのナット７９が螺着されている。
【００５８】
角筒部材７２の上面にはコ字形片８０が固着してあり、このコ字形片８０にはこれの上下辺部に形成された透孔を通じて鈎形の係止ピン８１が上下摺動可能に装着されると共に、コ字形片８０の内方に配置したスプリング８２により下方へ付勢されている。
この係止ピン８１は、下端部を図１０に図示した位置にある支持用条部材７５の透孔ｈに嵌入され支持用条部材７５の変位を規制するものである。
【００５９】
一方、突出棒２５ａを固着された掘り起こし板２４には図１３に示すように、支点孔８３が形成されると共に、この支点孔８３を中心とした円弧孔８４、８５が前後に形成されている。
この掘り起こし板２４と支持用条部材７５とは断面が鈎形となされた結合部材８６を介して結合されている。
【００６０】
結合部材８６は図１４に示すように、側辺部８６ａの端縁に段差部ｄ３を形成すると共に、側辺部８６ａの長さ途中に支点ネジ軸８７を固着している。
また、支点ネジ軸８７の前後位置にナット８８を固着してネジ孔ｈ２、ｈ３を形成したものとなす。
【００６１】
結合部材８６には掘り起こし板２４を固定させるのであり、この固定にさいしては、支点ネジ軸８７の頭部を円弧孔８４内に位置させて掘り起こし板２４を側辺部８６ａの外面に当接させ、支点孔８３及び円弧孔８５を通じてネジ孔ｈ２、ｈ３にボルトを螺着する。
このさい、突出棒２５ａは支点孔８３を中心として円弧孔８５の長さ範囲内でその傾斜が変化されるものとなる。
【００６２】
このようにして掘り起こし板２４に対し位置決めされた支点ネジ軸８７が図１１等に示すように軸受部材７６に挿通され、その先部にナット８９を螺着されている。
上記構成とすることにより、デバイダ２５，２５を回動操作可能に装着すると共に、前後向きに摺動変位可能に保持するための位置保持手段としている。
この位置保持手段により、簡易な構造によりデバイダ２５，２５を姿勢変更できる。
また、デバイダ２５，２５が前方張出し姿勢と前方非張出し姿勢の各姿勢に安定的に保持されるため、各姿勢で奏すべき作用を確実に発揮し得るものとなる。
さらにデバイダ２５，２５の先端を任意高さに簡便に変更調整でき、圃場条件の変化にも拘わらずデバイダに所要の機能を発揮させることができる。
【００６３】
次に本実施例における畝押さえ機構部Ｂの特徴的構成を図１、図３、図５及び図１５により説明する。
図１５は一方のローラユニットを示す平面図である。
各ローラユニット１１ａ、１１ｂの支持枠１３は、機体内方側の側面に鈎形の支持板９０が図１５に示すようにこれの長孔ｈ４を介して左右方向ｆ２の位置調整可能にボルト９１固定されている。
そして各支持板９０の側面部の前後二個所に筒部材９２が斜状に固着されている。
【００６４】
この筒部材９２には支持棒９３が摺動変位自在に挿入されており、この支持棒９３は各筒部材９２に装着された締結ボルト９４により任意位置に固定されるものとなされている。
【００６５】
左右のローラユニット１１ａ、１１ｂの各々に対応した二本の支持棒９３、９３の下端には前後向きの案内規制棒９５が一本ずつ固着されており、これら一対の案内規制棒９５、９５が芋の抜け上がり規制具をなすものである。
これにより、芋抜けを圃場条件の変化に応じた最適状態で規制することができる。
【００６６】
一対の案内規制棒９５、９５は前後方向において、前端を挟持搬送装置３１の最前方のプーリ３５の回転中心直下の近傍に位置させ、後端を挟持搬送装置３１の前後長さの概ね中央個所の直下近傍、即ち回動中心伝動機構部Ｃの直下近傍に位置させると共に、前部の間隔を前方へ向け漸次拡大させた構成としている。
これにより、茎元に対し長い機体進行距離に亘って芋抜け規制作用を及ぼすことができるものとなる。
【００６７】
次に、上記のように構成した本発明に係る茎葉処理機の使用例及び作動について説明する。
この処理機を遠隔地で使用する場合は、機体を軽トラック等の荷台に積載して目的地まで運搬する。
【００６８】
荷台への積載に際しては、デバイダ２５及び上側案内棒２６を図８に仮想線ｋ１、ｋ２で示すような前方非張出し姿勢にする。
このようにすれば、機体全長が数十ｃｍ程度短くなって積載が容易となる。
また、デバイダ２５が荷台等と接触して曲がる等の損傷を防止される。
【００６９】
図８に実線で示した前方張出し姿勢となっているデバイダ２５を前方非張出し姿勢にするときの操作は、次のように行われる。
【００７０】
即ち、ピン８１を引き上げてこれの下端部を条部材７５の透孔ｈから抜き出す。この状態の下で、デバイダ２５を前方へ引っ張る。
これにより、デバイダ２５及び掘り起こし板２４は結合部材８６及び支持用条部材７５と一緒にスプリング７８の弾力に抗して前方ｆ３へ変位され、結合部材８６の側辺部８６ａの後端部ｄ３は角筒部材７２内から外方へ出た状態となる。
【００７１】
この引っ張り状態の下でデバイダ２５を支点ネジ軸８７廻りの上方へ回動させ、結合部材８６の側辺部８６ａの後端部ｄ３の位置が角筒部材７２の前方から外れた後は、単にデバイダ２５を支点ネジ軸８７廻りへ回動させる。
【００７２】
この回動操作中、結合部材８６や掘り起こし板２４はデバイダ２５と一緒に回動され、且つ支持用条部材７２を介してスプリング７８力で後方へ引張される。
従って、掘り起こし板２４の周縁２４ａはこれの回動中、常に角筒部材７２の先端に圧接された状態で移動する。
【００７３】
デバイダ２５が完全に非張出し姿勢へ回動されたとき、デバイダ２５の回動操作力を解放する。
このデバイダ２５の位置はスプリング７８力により掘り起こし板２４の周縁２４ａと角筒部材７２の先端が圧接されて発生する摩擦により保持される。
【００７４】
目的地に到着したならば、機体を荷台から降ろし、上側案内棒２６を図８に実線で示す前方張出し姿勢に変化させると共に、デバイダ２５を上記の逆の手順で同様に前方張出し姿勢に変化させる。
【００７５】
このさい、デバイダ２５の支点ネジ軸８７廻りの下方への回動は結合部材８６の下辺部８６ｂが支持用条部材７５の段差部ｄ２に衝接することにより係止される。
また、デバイダ２５の前方張出し姿勢は、結合部材８６の側辺部８６ａの後端部ｄ３が角筒部材７２内に嵌入され、この嵌入状態がスプリング７８力で維持されることにより確保される。
【００７６】
この状態となされた機体は、畝Ｕ（高畝或いは平畝）に列状に甘藷が植えられた圃場において左右の走行車輪５、５が一つの畝Ｕを跨ぐように位置される。
これにより左右の分草切断部Ｄは図５及び図７に示すように左右の畝溝ｍ、ｍ内に位置される。
【００７７】
この状態の下で、分草切断部Ｄの高さが最適となるようにゲイジ輪１０、１０の高さを必要に応じて調整する。
【００７８】
また、必要に応じ操作部１９ａを回転させて、茎葉搬送処理部Ｅを支点Ｏ廻りへ揺動させ、その前部の畝面からの高さを調整する。
かくして茎葉搬送処理部Ｅの前部は畝Ｕの上面から凡そ数ｃｍ程度離れた状態となされる。
【００７９】
この後に位置調整機構１３ａを操作する等して、左右の畝押さえローラユニット１１ａ、１１ｂの高さ及び巾を調整し、畝押さえ機構部Ｂを畝Ｕの上面に適合させる。
このさい、必要に応じボルト９１、９４を操作して、各ローラユニット１１ａ、１１ｂにおける案内規制棒９５、９５の左右位置及び高さを変更調整する。
【００８０】
次にエンジン１を作動させ、各部を作動状態として機体を前進させる。
これにより、デバイダ２５、２５の突出棒２５ａは地面の１〜３ｃｍ程度の深さを進行して、畝溝ｍ内に根付いた芋蔓ｗを地面から浮上させ、続いて持上げ用案内棒２５ｂ、２５ｂが徐々に高く持ち上げる。
また、掘り起こし板２４や付加棒２５ｃも根付いた蔓を上方へ持ち上げる。
これにより、案内棒２５ｂ、２５ｂや付加棒２５ｃ及び掘り起こし板２４は芋蔓ｗを後方へ案内しつつ抜き上げ、切断装置２１の切り刃２２や掻込み部ｘへ案内するものとなる。
【００８１】
このさい、デバイダ２５の突出棒２５ａの先端高さが適当でなければ、ネジ孔ｈ２、ｈ３に螺着されたボルトを操作して掘り起こし板２４を結合部材８６に対し支点孔８３廻りへ揺動させてその高さを調整する。
【００８２】
芋蔓ｗは各切断装置２１の切り刃２２に達したとき切断され、切断装置２１、２１間の内外に分離される。
さらに、切断装置２１、２１の内方に存在するものとなった芋蔓等ｗは持上げ用案内棒２５ｂに案内されて掻込み部ｘに円滑に移動される。
【００８３】
掻込み部ｘは左右の切断装置２１、２１の間の畝面上に繁茂した芋蔓ｗや、案内棒２５ｂが案内してきた芋蔓ｗを中央へ掻き集めて自身の搬送経路、即ち前側の上部搬送経路ｋ２内に移動させ、且つこれと同時に下部挟持搬送経路ｋ１の前部に供給する。
【００８４】
前側の上部搬送経路ｋ２及び、下部搬送経路ｋ１はこのように移動され或いは供給された芋蔓ｗを後方上り傾斜方向へ挟持搬送する。
このさい、芋蔓ｗは上部搬送経路ｋ２の上方へ大きく盛り上がった嵩張り状態で移動されるが、上部搬送経路ｋ２及び下部搬送経路ｋ１により上下の二カ所を挟持され、しかも掻込みフレーム６３の上面で支持されるため安定的に搬送されるものとなる。
【００８５】
この搬送中、下部搬送経路ｋ１は特に強い力で芋蔓ｗを挟み付けて上方へ移動させるため、やがて芋蔓ｗの茎元に強大な引上げ力を付与するのである。
この茎元は芋抜け上がり規制具をなす左右の案内規制棒９５、９５間を後方へ移動しつつ、やがて引きちぎられて芋部と分離される。
【００８６】
このさい、芋蔓と一緒に芋が抜き上げられることがあるが、この芋は左右の案内規制棒９５、９５で上昇を規制されるため茎元から分離され地中に残されるものとなる。
この規制作用は回動中心伝動機構部Ｃの直下近傍まで発生し得るので芋の抜け上がりは確実に規制されるのである。
【００８７】
このように分離されて自由状態となった芋蔓ｗの放出位置は挟持搬送装置３１の後端部の左右位置で決定されるのである。
例えば、処理中の畝Ｕ上に放出する場合は挟持搬送装置３１を前後方向の直線状に保持し、また、この畝Ｕから離れた左右側位置に放出する場合は把手４４を持って挟持搬送装置３１の後部を左右へ振り回して下部挟持搬送経路ｋ１及び上部挟持搬送経路ｋ２、ｋ３を適当角度に折り曲げた状態に保持する。
【００８８】
下部挟持搬送経路Ｋ１及び前側の上部搬送経路ｋ２で搬送されている自由状態の芋蔓ｗはやがては挟持搬送装置３１の折れ曲がり位置ｐ（図３）に達する。
この位置に達した芋蔓ｗの上部は、挟持搬送装置３１が左右へく字形に折り曲げられていると、折り曲げ半径の内方側へ、その自重によりこぼれ落ちようとするが、案内ローラ７０がこれを支持して上方へ円滑に案内するため、芋蔓ｗはこの折れ曲がり位置ｐを支障なく安定的に通過するものとなる。
【００８９】
この後は、下部挟持搬送経路ｋ１及び後側の上部搬送経路ｋ３がこの芋蔓ｗをその搬送終端まで搬送し落下させる。かくして芋蔓ｗは畝単位で能率的且つ的確に除去されるのであり、甘藷の収穫は省力的に行われる。
【００９０】
上記実施例は、図１６に示すような簡易な構造に変形できる。
図１６は変形例の側面図である。
角筒部材７２からこれと一体の支持アーム９６を延出させ、この支持アーム９６に掘り起こし板２４を支点軸８７１により回転可能に装着する。
そして、支持アーム９６の軸着個所の前後にネジ孔ｈ６、ｈ７を形成する。
一方、掘り起こし板２４の前部には長孔８５１を形成し、後部上方には透孔ｈ５を形成する。
【００９１】
そして、デバイダ２５を前方張出し姿勢に固定する際は、掘り起こし板２４の長孔８５１にボルトを通して支持アーム９６先端のネジ孔ｈ６に締結し、逆にデバイダ２５を前方非張出し姿勢に固定する際はデバイダ２５を支点軸８７１廻りへ回動させて透孔ｈ５と、支持アーム９６の後側のネジ孔ｈ７とを合致させ、ネジ孔ｈ６から外したボルトを透孔ｈ５に通してネジ孔ｈ７に締結し得る構成とする。
【００９２】
【発明の効果】
上記した本発明によれば、機体の前部から後部に亘って茎葉搬送処理部Ｅを上り傾斜状に設け、この茎葉搬送処理部Ｅの左右各側の前方に切断装置２１，２１を配設し、この切断装置２１，２１の上部に細棒で形成した上部案内棒２６，２６を前向き上り傾斜に設け、且つ揺動されて収納可能となされると共に、前記各切断装置２１，２１の前下部から前方へ張出し状に配設された細棒で形成したデバイダ２５，２５を備え、機体の進行中、前記各切断装置２１，２１で前記デバイダ２５，２５により案内された植生茎葉部ｗを前記茎葉搬送処理部Ｅの左右で切断し、この切断された前記茎葉部ｗを前記茎葉搬送処理部の前部で掻き込み、続いて斜め後方へ搬送し、この搬送過程でその根部から分離させ、後部から排出するように作動する蔓処理機において、前記デバイダ２５，２５を支持用条部材７５と結合部材８６とを介して上下揺動および前後向きに摺動変位自在に構成し、前記各デバイダ２５，２５を前方張出し姿勢から前方非張出し姿勢へ或いはこの逆へ姿勢変更操作可能に装着したことにより、デバイダの張出し分だけ機体全長を短くできて軽トラックの荷台等に積載し易いものとなり、また、デバイダが他物と接触して曲がる等といった損傷を受けるのを防止することができる。
【図面の簡単な説明】
【図１】      本発明の一実施例を示す茎葉処理機の右側面図である。
【図２】      前記処理機の平面図である。
【図３】      前記処理機の茎葉搬送処理部を省略した状態の平面図である。
【図４】      前記処理機の上部挟持搬送経路機構を省略した状態の平面図である。
【図５】      前記処理機の使用状態を示す正面図である。
【図６】      前記処理機の側面視断面図である。
【図７】      前記処理機の使用状態を示す一部斜視図である。
【図８】      前記処理機の一部を拡大した側面視説明図である。
【図９】      前記処理機の一部を省略した状態の平面図である。
【図１０】      前記処理機の切断装置の要部を示す拡大側面図である。
【図１１】      図１０のｘ−ｘ部を示す図である。
【図１２】      前記要部の部品を示す図である。
【図１３】      前記処理機のデバイダを示す側面図である。
【図１４】      前記要部の部品を示す図である。
【図１５】      前記処理機の一方のローラユニットを示す平面図である。
【図１６】      前記処理機の要部の変形例を示す側面図である。
【符号の説明】
Ｂ    畝押さえ機構部
Ｅ    茎葉搬送処理部
ｗ    植生茎葉部
２１  切断装置
２５  デバイダ
２６  上部案内棒
７５  支持用条部材
８６  結合部材
８７  支点軸（支点ネジ軸）
９５  案内規制棒
【図１】
0003868110.tif 000002
【図２】
0003868110.tif 000003
【図３】
0003868110.tif 000004
【図４】
0003868110.tif 000005
【図５】
0003868110.tif 000006
【図６】
0003868110.tif 000007
【図７】
0003868110.tif 000008
【図８】
0003868110.tif 000009
【図９】
0003868110.tif 000010
【図１０】
0003868110.tif 000011
【図１１】
0003868110.tif 000012
【図１２】
0003868110.tif 000013
【図１３】
0003868110.tif 000014
【図１４】
0003868110.tif 000015
【図１５】
0003868110.tif 000016
【図１６】
0003868110.tif 000017